(57)【要約】【課題】少ない部材点数で建物に傾斜面を形成することができる建物の傾斜面構造を得る。【解決手段】建物の傾斜面構造では、縦断面視で建物高さ方向に延在するウエブ部４０と該ウエブ部４０の上端から略水平方向に延在する上フランジ部４２を有し、所定の間隔を空けて略平行に配置された一対の桁梁３６を備えている。また、建物の傾斜面構造では、梁材３６の延在方向と略直交する方向を長手方向とし、一対の梁材３６間に架け渡される複数の横架材３４を備えている。この横架材３４は、長手方向の両端部に一対の桁梁３６のウエブ部４０に溶接された垂直端部６０Ａと、一対の桁梁３６の上フランジ部４２の下面に溶接された水平端部６０Ｂを有し、上面５４が長手方向の一端から他端に向かって水勾配に合わせて建物高さ方向に傾斜している。そして、当該横架材３４の上面５４に床板７６を載置することにより、傾斜面が形成されている。【選択図】図３
2020114978.tif 000002
【特許請求の範囲】
【請求項１】
縦断面視で建物高さ方向に延在するウエブ部と該ウエブ部の上端から略水平方向に延在する上フランジ部を有し、所定の間隔を空けて略平行に配置されると共に、建物の上部屋外側に配置される一対の梁材と、
前記梁材の延在方向と略直交する方向を長手方向として前記一対の梁材間に架け渡されると共に、長手方向の両端部に前記一対の梁材の前記ウエブ部にそれぞれ溶接された垂直端部と、前記一対の梁材の上フランジ部の下面にそれぞれ溶接された水平端部を有し、上面が長手方向の一端から他端に向かって水勾配に合わせて建物高さ方向に傾斜している複数の横架材と、
前記複数の横架材の上面に載置された面材と、
を備える建物の傾斜面構造。
【請求項２】
前記横架材には、長手方向の少なくとも一端に、前記水平端部を含むスリット状に形成された差込部が形成され、該差込部に前記梁材の上フランジ部が差し込まれている、
請求項１に記載の建物の傾斜面構造。
【請求項３】
前記横架材は、所定の形状に切り出した金属板を折り曲げ加工した折り曲げ加工部材である、
請求項１又は請求項２に記載の建物の傾斜面構造。
【請求項４】
前記一対の床梁は、平面視で矩形枠状をなす床フレームの長辺を構成し、
前記複数の横架材の前記上面に床板が載置されている、
請求項１〜請求項３の何れか１項に記載の建物の傾斜面構造。
【請求項５】
前記床フレームはバルコニーの床部に配置されており、
前記バルコニーの屋外側の縁部に沿って配置された一方の前記梁材のウエブ部が、前記バルコニーの屋外側の縁部から建物上方側に立設された腰壁の下端部に固定され、
前記バルコニーの屋外側の縁部に沿って配置された前記複数の横架材の長手方向の一端が、該腰壁の屋内側の側面に当接している、
請求項４に記載の建物の傾斜面構造。
【発明の詳細な説明】
【技術分野】
【０００１】
本発明は、建物の傾斜面構造に関する。
【背景技術】
【０００２】
特許文献１には、Ｈ形鋼を用いて建物に傾斜面を形成する構造が開示されている。この構造に適用されるＨ形鋼では、長手方向の一端から他端に向かってウエブの幅が大きくなるように形成されており、下フランジに対して上フランジが傾斜して延在されている。そして、複数のＨ形鋼を建物の床梁や天井梁を支持体にして平行に配置し、Ｈ形鋼の上フランジの上に面材を載置することにより建物の傾斜面を形成している。
【先行技術文献】
【特許文献】
【０００３】
【特許文献１】特開２０１８−０２８２０７号公報
【０００４】
しかしながら、上記先行技術のようにＨ形鋼を床梁や天井梁等の上に載置すると、Ｈ形鋼の重量で梁材に座屈が発生する可能性がある。このような座屈を回避するために、床梁や天井梁を小梁で補強することが考えられるが、この場合、傾斜面を構成する部材点数が著しく増加する。
【発明の概要】
【発明が解決しようとする課題】
【０００５】
本発明は上記事実を考慮し、少ない部材点数で建物に傾斜面を形成することができる建物の傾斜面構造を得ることが目的である。
【課題を解決するための手段】
【０００６】
第１の態様に係る建物の傾斜面構造は、縦断面視で建物高さ方向に延在するウエブ部と該ウエブ部の上端から略水平方向に延在する上フランジ部を有し、所定の間隔を空けて略平行に配置されると共に、建物の上部屋外側に配置される一対の梁材と、前記梁材の延在方向と略直交する方向を長手方向として前記一対の梁材間に架け渡されると共に、長手方向の両端部に前記一対の梁材の前記ウエブ部にそれぞれ溶接された垂直端部と、前記一対の梁材の上フランジ部の下面にそれぞれ溶接された水平端部を有し、上面が長手方向の一端から他端に向かって水勾配に合わせて建物高さ方向に傾斜している複数の横架材と、前記複数の横架材の上面に載置された面材と、を備えている。
【０００７】
第１の態様に係る建物の傾斜面構造では、一対の梁材間に架け渡された複数の横架材の上面に面材が載置されている。また、横架材の上面は、長手方向の一端から他端に向かって水勾配に合わせて建物高さ方向に傾斜されている。このため、横架材の上面に載置された面材が傾斜して配置されるため、傾斜面が形成される。
【０００８】
ここで、上記した横架材の長手方向の両端部は、垂直端部と水平端部を介して一対の梁材のウエブ部及び上フランジ部の下面に溶接されている。このため、横架材の長手方向の両端が所謂スチフナとして機能し、梁材のウエブ部と上フランジ部の補強を兼ねている。これにより、横架材の重量による梁材の座屈が抑制されるため、一対の梁材間を小梁で補強する必要がなく、部材点数を抑えることができる。
【０００９】
第２の態様に係る建物の傾斜面構造は、第１の態様に記載の構成において、前記横架材には、長手方向の少なくとも一端に、前記水平端部を含むスリット状に形成された差込部が形成され、該差込部に前記梁材の上フランジ部が差し込まれている。
【００１０】
第２の態様に係る建物の傾斜面構造では、差込部の形成された横架材の長手方向の一端に梁材の上フランジを差し込んで位置決めを行い、この状態でウエブ部及び上フランジ部との溶接作業ができるため施工性に優れる。また、上フランジ部を差込部に差し込んで梁材と横架材を組み付けることにより、設計した勾配を正確に再現できる。よって、傾斜面の組み付け精度に優れる。
【００１１】
第３の態様に係る建物の傾斜面構造は、第１の態様又は第２の態様に記載の構成において、前記横架材は、所定の形状に切り出した金属板を折り曲げ加工した折り曲げ加工部材とされている。
【００１２】
第３の態様に係る建物の傾斜面構造では、横架材が、所定の形状に切り出した金属板を折り曲げ加工して形成される簡単な構成とされているため、例えば、形鋼等の圧延鋼に切欠き加工が施されてなる横架材に比べて、部材の生産性に優れる。
【００１３】
第４の態様に係る建物の傾斜面構造は、第１の態様〜第３の態様の何れか１態様に記載の構成において、前記一対の床梁は、平面視で矩形枠状をなす床フレームの長辺を構成し、前記複数の横架材の前記上面に床板が載置されている。
【００１４】
第４の態様に係る建物の傾斜面構造では、横架材が矩形枠状の床フレームの一対の長辺（桁梁）間に架け渡されて床フレームを補強している。すなわち、横架材は、床フレームの小梁として床部を支持すると共に、傾斜して配置される床板を受ける根太としての機能を兼ねている。これにより、例えば、小梁を備える床フレーム上に面材を傾斜支持する根太が配置される傾斜面構造と比べて、部材点数が大幅に削減される。
【００１５】
第５の態様に係る建物の傾斜面構造は、第４の態様に記載の構成において、前記床フレームはバルコニーの床部に配置されており、前記バルコニ−の屋外側の縁部に沿って配置された一方の前記梁材のウエブ部が、前記バルコニーの屋外側の縁部から建物上方側に立設された腰壁の下端部に固定され、前記バルコニ−の屋外側の縁部に沿って配置された前記複数の横架材の長手方向の一端が、該腰壁の屋内側の側面に当接している。
【００１６】
第５の態様に係る建物の傾斜面構造では、床フレームがバルコニーの床部に配置されている。本態様では、バルコニーの屋外側の縁部から建物上方側に立設された腰壁は、その下端部が、該縁部に沿って配置された一方の梁材のウエブ部に固定されている。このため、腰壁には、下端部を中心に屋内側へ倒れる向きの曲げモーメントが発生する。ここで、バルコニ−の屋外側の縁部に沿って、複数の横架材の長手方向の一端が該腰壁の屋内側の側面に当接して支持している。これにより、腰壁から梁材へ入力されるモーメント荷重が低減され、梁材の座屈が抑制されている。
【発明の効果】
【００１７】
以上説明したように、第１の態様に係る建物の傾斜面構造によれば、少ない部材点数で建物に傾斜面を形成することができるという優れた効果を有する。
【００１８】
第２の態様に係る建物の傾斜面構造によれば、傾斜面の施工性を向上させると共に、組み付け精度を向上させることができるという優れた効果を有する。
【００１９】
第３の態様に係る建物の傾斜面構造によれば、部材の生産性を向上させることができるという優れた効果を有する。
【００２０】
第４の態様に係る建物の傾斜面構造によれば、少ない部材点数で床部に傾斜面を形成することができるという優れた効果を有する。
【００２１】
第５の態様に係る建物の傾斜面構造によれば、バルコニーの腰壁による梁材の座屈を抑制することができるという優れた効果を有する。
【図面の簡単な説明】
【００２２】
【図１】第１実施形態に係る建物の傾斜面構造が適用されたバルコニーユニットの斜視図である。
【図２】図１に示すバルコニーユニットの床フレームを示す部分拡大斜視図である。
【図３】図１の３−３線に沿って切断した断面図である。
【図４】（Ａ）は、図１に示すバルコニーユニットにおいて、第１床ユニットに適用された第１横架材を構成する鋼板の展開図であり、（Ｂ）は、第１横架材の組付状態を示す斜視図である。
【図５】（Ａ）は、図１に示すバルコニーユニットにおいて、第２床ユニットに適用された第２横架材を構成する鋼板の展開図であり、（Ｂ）は、第２横架材の組付状態を示す斜視図である。
【図６】図４に示される第１横架材の長手方向の一端を拡大して示す拡大側面図である。
【図７】図４に示される第１横架材の長手方向の他端を拡大して示す拡大側面図である。
【図８】第２実施形態に係る建物の傾斜面構造を示す図３に対応する断面図である。
【発明を実施するための形態】
【００２３】
〔第１実施形態〕
以下、図１〜図７を用いて、第１実施形態に係る建物の傾斜面構造が適用されたバルコニーユニット１２について説明する。
【００２４】
まず、バルコニーユニット１２が適用された建物１０の概要について説明する。
【００２５】
（全体構成）
図１〜図３に示されるように、建物１０は、所謂ユニット建物とされている。建物１０は、基礎１４上に複数個の建物ユニット１６を水平方向に並べて据え付けて、これらの建物ユニット１６の上方に別の建物ユニット１６を据え付けることで多層階建て（本実施形態では３階建て）とされている。
【００２６】
図２に一部示されるように、各建物ユニット１６は、４本の柱１８と、それぞれの柱１８の上端に接合された矩形枠状の天井大梁２０と、それぞれの柱１８の下端部に接合された図示しない矩形枠状の床大梁と、によって躯体フレームとされている。
【００２７】
また、建物１０の三階部分１０Ａでは、建物ユニット１６に隣接し、建物１０の上部屋外側に配置されるルーフバルコニー２２を形成するためのバルコニーユニット１２が据え付けられている。なお、ルーフバルコニー２２が、本発明における「バルコニー」に相当する。
【００２８】
（バルコニーユニット１２）
図１及び図２に示されるように、バルコニーユニット１２は、建物１０の二階部分１０Ｂに配置された２つの建物ユニット１６の上面に同じ床面積で据え付けられるようになっている。バルコニーユニット１２は、２つの建物ユニット１６の上面にそれぞれ据え付けられて、ルーフバルコニー２２の床部２４を構成する第１床ユニット２６と第２床ユニット２８とを備えている。また、バルコニーユニット１２は、バルコニーユニット１２の建物外周に沿った周縁に配置され、平面視でコ字型をなす腰壁３０を有している。
【００２９】
（第１床ユニット２６）
図２及び図３に示されるように、第１床ユニット２６は、建物１０の二階部分１０Ｂの軒先側に配置された建物ユニット１６Ａの上面に据え付けられている。第１床ユニット２６は、建物ユニット１６Ａの上面に固定される床フレーム３２と、床フレーム３２に固定される複数の第１横架材３４と、を備えている。床フレーム３２は、平面視で矩形枠状に形成されており、床フレーム３２の長辺（桁側）を構成する一対の桁梁３６と、床フレーム３２の短辺（妻側）を構成する一対妻梁３８とを備えている。桁梁３６及び妻梁３８は、溝形鋼とされており、縦断面視で建物高さ方向に延在するウエブ部４０と、ウエブ部４０の上端から略水平に延在された上フランジ部４２と、上フランジ部４２に対向して配置され、ウエブ部４０の下端から略水平に延在された下フランジ部４４と、を備えている。床フレーム３２は、桁梁３６と妻梁３８の接合部分の下面に設けられた図示しないベースプレートを介して、建物ユニット１６Ａの柱１８と天井大梁２０の仕口にボルト締結されている。これにより、床フレーム３２が、建物ユニット１６Ａの上面に固定されている。
【００３０】
また、図３に示されるように、第１床ユニット２６の床フレーム３２における建物１０の軒先側（ルーフバルコニー２２の屋外側の縁部）に沿って配置された一方の桁梁３６には、そのウエブ部４０に腰壁３０の下端部が固定されている。
【００３１】
補足すると、この腰壁３０は、腰壁外板４６と、腰壁内板４８と、両者の間に配置され図示しないスクリューで腰壁外板４６と腰壁内板４８が固定された腰壁縦フレーム５０を含んで構成されている。腰壁縦フレーム５０は、一例として略矩形断面を有し、建物高さ方向に延在している。この腰壁縦フレーム５０は、腰壁外板４６と腰壁内板４８の間に所定の間隔を空けて複数配置され、腰壁外板４６と腰壁内板４８を支持している。また、腰壁縦フレーム５０の下端部５０Ａは、腰壁３０の屋内側の側面において腰壁内板４８の下端部から建物下方側へ突出され、桁梁３６のウエブ部４０の屋外側の側面に図示しないボルトとナットを用いて固定されている。これにより、床フレーム３２の軒先側の桁梁３６のウエブ部４０が、腰壁３０の下端部に固定されている。
【００３２】
図２及び図３に示されるように、床フレーム３２の一対の桁梁３６間には、複数の第１横架材３４が架け渡されている。複数の第１横架材３４は桁梁３６の延在方向と略直交する方向を長手方向として配置され、一対の妻梁３８間を所定の間隔を空けて配置されている。なお、一対の桁梁３６が本発明における「一対の梁材」に相当し、第１横架材３４が「横架材」に相当する。
【００３３】
図４（Ｂ）に示されるように、第１横架材３４は、縦断面視で断面コ字状に形成されており、建物高さ方向に延在する垂直部５２と、垂直部５２の上端から略水平方向に延在する上面５４と、垂直部５２の下端から略水平方向に延在し、上面５４と対向して配置された下面５５と、を備えている。また、第１横架材３４には、長手方向の一端３４Ａ（軒先側の端部）に後述する排水溝形成部５６が設けられている。また、第１横架材３４には、長手方向の他端３４Ｂ（屋内側の端部）に後述するスリット形成部５８が設けられている。
【００３４】
ここで、垂直部５２の建物高さ方向の寸法は、第１横架材３４の長手方向の一端３４Ａから他端３４Ｂへ向かって徐々に大きくされている。これにより、第１横架材３４の上面５４は、第１横架材３４の長手方向の一端３４Ａから他端３４Ｂに向かって建物上方側に傾斜されている。なお、第１横架材３４の下面５５は、第１横架材３４の長手方向の一端３４Ａから他端３４Ｂに向かって略水平方向に沿って延びている。
【００３５】
図４（Ｂ）及び図６に示されるように、第１横架材３４の一端３４Ａに形成された排水溝形成部５６は先端に形成された溶接部６０と、溶接部６０に隣接して設けられた排水溝支持片部６２とによって構成されている。溶接部６０は、垂直部５２の一端を側面視で段差状に切り出して形成されている。この溶接部６０の端部は、建物高さ方向に延在する垂直端部６０Ａと、水平方向に延在する水平端部６０Ｂとを備えている。第１横架材３４を組み付けた状態では、桁梁３６の上フランジ部４２と下フランジ部４４の間に溶接部６０が挿入されている。そして、溶接部６０の垂直端部６０Ａが、桁梁３６のウエブ部４０における屋内側の側面に溶接され、水平端部６０Ｂが、桁梁３６の上フランジ部４２の下面に溶接されている。これにより、構造上、溶接部６０が桁梁３６を補強するスチフナとして機能している。
【００３６】
排水溝支持片部６２は、上述した溶接部６０に隣接して設けられており、垂直部５２の建物高さ方向の中間部から、垂直に折り曲げられて略水平方向に延在する板片とされている。排水溝支持片部６２は、平面視で略矩形状をなし、板厚方向を建物高さ方向とされている。また、排水溝支持片部６２の上面が、桁梁３６の上フランジ部４２の上面と略面一の状態とされている。
【００３７】
図３に示されるように、ルーフバルコニー２２の軒先では、桁梁３６及び排水溝支持片部６２の上方側に、桁梁３６の延在方向に沿って形成される排水溝６４が設けられている。排水溝６４の底面は三次元勾配となっており、雨水等がルーフバルコニー２２の軒先側の一方の角部に向かって流れる流路を形成し、角部に接続された排水パイプ６６を通じて屋外へ排水される構成となっている。上述した第１横架材３４の上面５４は、当該排水溝６４の延在方向と略直交する方向に延在し、排水溝６４側の一端３４Ａから他端３４Ｂに向かって建物上方側へ傾斜している。換言すると、第１横架材３４の上面５４は、ルーフバルコニー２２の水勾配に合わせて傾斜して配置されている。
【００３８】
一方、図４（Ｂ）、図７に示されるように、第１横架材３４の長手方向の他端３４Ｂには、スリット形成部５８が設けられている。スリット形成部５８は、垂直部５２の建物高さ方向の中間部から略水平方向に沿って延在するスリット状の差込部６８と、差込部６８の下部に設けられた溶接部６０と、によって構成されている。溶接部６０は、上述した排水溝形成部５６の溶接部６０と同様の構成をなしており、垂直端部６０Ａと水平端部６０Ｂを備えている。差込部６８は、上記溶接部６０の水平端部６０Ｂがスリットの下縁を構成するように形成されており、床フレーム３２の屋内側に配置された一方の桁梁３６の上フランジ部４２が差し込まれている。そして、上フランジ部４２の下面に溶接部６０の水平端部６０Ｂが溶接され、桁梁３６のウエブ部４０の屋外側の側面に垂直端部６０Ａが溶接されている。
【００３９】
上記構成により、第１横架材３４の長手方向の両端部は、垂直端部６０Ａと水平端部６０Ｂによって一対の桁梁３６のウエブ部４０及び上フランジ部４２の下面に溶接されている。
【００４０】
（第２床ユニット２８）
図２及び図３に示されるように、第２床ユニット２８は、第１床ユニット２６に隣接すると共に、建物１０の二階部分１０Ｂの屋内側に配置された建物ユニット１６Ｂの上面に据え付けられている。第２床ユニット２８は、構造的には、平面視で矩形枠状をなす床フレーム３２と、床フレーム３２に固定される複数の第２横架材７０を備えている。なお、この第２横架材７０も第１横架材３４と同様に、本発明における「横架材」に相当する。また、床フレーム３２は上述した第１床ユニット２６と同様の構成であるため説明を割愛する。
【００４１】
第２横架材７０は、床フレーム３２の一対の桁梁間に複数掛け渡されており、長手方向を桁梁３６の延在方向と略直交する方向とし、一対の妻梁３８間を所定の間隔を空けて配置されている。この第２横架材７０も、上述した第１横架材３４と同様に、建物高さ方向に延在する垂直部７２と、垂直部７２の上端から略水平方向に延在された上面７４と、垂直部７２の下端から略水平方向に延在されて、上面７４と対向して配置された下面７５と、を備えている。
【００４２】
また、図３に示されるように、垂直部７２の建物高さ方向の寸法は、第２横架材７０の長手方向の一端から他端へ向かって徐々に大きくされている。これにより、垂直部７２の上面７４は、第２横架材７０の長手方向の一端から他端に向かって建物上方側に傾斜されている。なお、垂直部７２の下面７５は、第２横架材７０の長手方向の一端から他端に向かって略水平方向に沿って延びている。
【００４３】
図３及び図５（Ｂ）に示されるように、垂直部７２の長手方向の両端には、上述した第１横架材３４と同様のスリット形成部５８がそれぞれ設けられている。これにより、垂直部７２の長手方向の両端部には、スリット状の差込部６８が形成され、一対の桁梁３６の上フランジ部４２が差し込まれている。さらに、垂直部７２の長手方向の両端部が、溶接部６０によって、一対の桁梁３６のウエブ部４０及び上フランジ部４２の下面に溶接されている。
【００４４】
以上説明した第１床ユニット２６及び第２床ユニット２８は、予め製造工場において、床フレーム３２と第１横架材３４及び第２横架材７０との組み付け作業がなされる。
【００４５】
製造工場では、先ず、一枚の鋼板を図４（Ａ）、図５（Ａ）に示す所定の形状に切り出し、図４（Ａ）、図５（Ａ）に示される破線に沿って折り曲げ加工を施すことにより、折り曲げ加工部材としての上述した第１横架材３４及び第２横架材７０が形成される。
【００４６】
次いで、第１横架材３４及び第２横架材７０に形成された差込部６８を、対応する桁梁３６の上フランジ部４２に差し込んで位置決めを行う。その後、第１横架材３４及び第２横架材７０の長手方向の両端部を、溶接部６０において一対の桁梁３６のウエブ部４０及び上フランジ部４２の下面に溶接して固定する。これにより、第１床ユニット２６及び第２床ユニット２８をアッセンブリ化した状態で建築現場に搬入することが可能となる。
【００４７】
図３に示されるように、上述した第１床ユニット２６及び第２床ユニット２８を建物１０に据え付けた状態では、第１横架材３４と第２横架材７０の上フランジ部４２によって側面視で連続した傾斜面が形成される。そして、この第１横架材３４及び第２横架材７０の上フランジ部４２に面材としての床板７６が載置されることにより、ルーフバルコニー２２の水勾配に合わせて、軒先側に向かって建物下方側に傾斜した床部２４が形成されている。
【００４８】
（作用・効果）
次に、本実施形態の作用並びに効果について説明する。
【００４９】
本実施形態に係るバルコニーユニット１２の第１床ユニット２６及び第２床ユニット２８では、床フレーム３２の一対の桁梁３６間に掛け渡された複数の第１横架材３４、第２横架材７０の上面５４、７４に床板７６が載置されている。ここで、上面５４、７４は、長手方向の一端から他端に向かって建物高さ方向に傾斜している。このため、第１横架材３４及び第２横架材７０に載置された床板７６が傾斜して配置され、ルーフバルコニー２２の床部２４に勾配を形成することができる。
【００５０】
ここで、第１横架材３４及び第２横架材７０の長手方向の両端部は、垂直端部６０Ａと水平端部６０Ｂを介して一対の桁梁３６のウエブ部４０及び上フランジ部４２の下面に溶接されている。このため、第１横架材３４及び第２横架材７０の長手方向の両端が、所謂スチフナとして機能し、桁梁３６のウエブ部４０と上フランジ部４２の補強を兼ねている。これにより、第１横架材３４及び第２横架材７０の重量による桁梁３６の座屈が抑制されるため、一対の桁梁間を別部材の小梁を用いて補強する必要がなく、部材点数を抑えることができる。
【００５１】
また、本実施形態では、第１横架材３４及び第２横架材７０では、長手方向の少なくとも一端にスリット状の差込部が形成され、対応する桁梁３６の上フランジ部４２が差し込まれている。このため、差込部６８を介して第１横架材３４及び第２横架材７０の位置決めをしながら、桁梁３６への溶接作業ができるため施工性に優れる。また、上フランジ部４２を差込部６８に差し込んで組み付けることにより、設計した勾配を正確に再現できる。これにより、バルコニーユニット１２の組み付け精度を向上させることができる。
【００５２】
また、本実施形態では、第１横架材３４及び第２横架材７０が、所定の形状に切り出した鋼板を折り曲げ加工してなる簡単な構成とされているため、例えば、形鋼等の圧延鋼に切欠き加工が施されてなる横架材に比べて、部材の生産性に優れる。
【００５３】
また、本実施形態では、第１横架材３４及び第２横架材７０が、矩形枠状の床フレーム３２の桁梁３６間に架け渡されている。すなわち、第１横架材３４及び第２横架材７０は、床フレーム３２の小梁として床部２４を支持すると共に、傾斜して配置される床板７６を受ける根太としての機能を兼ねている。これにより、例えば、小梁を備える床フレーム上に面材を傾斜支持する根太が配置される傾斜面構造と比べて、部材点数を大幅に削減することができる。
【００５４】
〔第２実施形態〕
以下、図８を用いて、第２実施形態に係る建物の傾斜面構造について説明する。なお、前述した第１実施形態と同一構成部分については、同一番号を付してその説明を省略する。
【００５５】
この図に示されるように、この第２実施形態に係る建物の傾斜面構造では、ルーフバルコニー２２の軒先に、排水溝６４を設けない構成としている。そして、第１床ユニット２６の第１横架材８０において、長手方向の両端にスリット形成部５８が形成されている点に特徴がある。
【００５６】
スリット形成部５８は、上述した第１実施形態のスリット形成部と同様の構成とされており、垂直部５２に設けられたスリット状の差込部６８と、差込部６８の下部に設けられた溶接部６０を備えている。
【００５７】
上記構成の第１床ユニット２６によれば、第１横架材８０の長手方向の両端に差込部６８が形成され、一対の桁梁３６の上フランジ部４２が差し込まれている。また、第１横架材８０におけるルーフバルコニー２２の屋外側の縁部に対応して配置された一端８０Ａでは、差込部６８の上方側の部位が腰壁３０の腰壁縦フレーム５０における下端部かつ屋内側の側面（腰壁３０の屋内側の側面）に当接する構成となっている。
（作用・効果）
上記構成の建物の傾斜面構造は、基本的には第１実施形態に係るバルコニーユニット１２の構成を踏襲しているため、同様の作用及び効果を得ることができる。
【００５８】
また、本実施形態では、上述した第１実施形態と同様に、ルーフバルコニー２２の屋外側の縁部から建物上方側に立設された腰壁３０の下端部が、該縁部に沿って配置された桁梁３６のウエブ部４０に固定されている。このため、腰壁３０には、その下端部を中心に屋内側へ倒れる向きの曲げモーメントが発生する（図８に示す矢印Ｍ参照）。
【００５９】
ここで、ルーフバルコニー２２の屋外側の縁部では、第１横架材８０の長手方向の一端８０Ａが、腰壁３０の屋内側の側面に当接して腰壁３０を支持している。これにより、腰壁３０から桁梁３６へ入力されるモーメント荷重が低減され、腰壁３０の重量による桁梁３６の座屈を抑制することができる。
【００６０】
[補足説明]
上記各実施形態では、溶接部６０を構成する垂直端部６０Ａが、桁梁３６のウエブ部４０の一部と溶接される構成としたが、本発明はこれに限らない。垂直端部の建物高さ方向の寸法をウエブ部の建物高さ方向の寸法と略同一に設定し、垂直端部がウエブ部の建物高さ方向の全域に溶接される構成としてもよい。
【００６１】
また、上記各実施形態では、建物の傾斜面構造をルーフバルコニー２２の床部２４に適用したが、本発明はこれに限らず、キャンチバルコニーや、インナーバルコニーの床部に適用してもよい。例えば、キャンチバルコニーでは、床フレームを建物の躯体を構成する床梁に片持ち支持される構造とし、床フレームの一対の桁梁間に上記実施形態と同様の第１横架材３４又は第２横架材７０が架け渡される構造としてもよい。また、インナーバルコニーでは、バルコニーを構成する建物ユニットの一対の床梁間に上記実施形態と同様の第１横架材３４又は第２横架材７０を架け渡す構成としてもよい。
【００６２】
また、上記各実施形態では、建物の傾斜面構造をルーフバルコニー２２の床部２４に適用したが、本発明はこれに限らず、建物の屋根部の傾斜面に適用してもよい。例えば、陸屋根に適用する構成とし、建物の最上階を構成する建物ユニット１６の上面に矩形枠状のフレームを固定し、当該フレームの長辺を構成する一対の梁材の間に上記実施形態と同様の第１横架材３４又は第２横架材７０を架け渡す構成としてもよい。また、陸屋根に限らず、片流れ屋根や、切妻屋根の傾斜面に本発明の傾斜面構造を適用してもよい。
【００６３】
また、上記各実施形態では、建物ユニット１６の上にバルコニーユニット１２を据え付ける構成としたが、本発明はこれに限らず、建物ユニット１６を構成する矩形枠状の天井大梁２０を溝形鋼で構成し、この天井大梁の長辺を構成する梁材間に第１横架材３４又は第２横架材７０を架け渡し、建物ユニット１６の上面に直接ルーフバルコニーの床部を形成する構成としてもよい。
【００６４】
また、上記各実施形態では、床フレーム３２を溝形鋼で構成したが、これに限らずＨ形鋼や山形鋼で構成してもよい。
【００６５】
また、本発明の傾斜面構造は、ユニット建物に限らず、鉄骨軸組工法で建築された建物にも適用可能である。
【符号の説明】
【００６６】
１０  建物
１２  ルーフバルコニー（バルコニー）
２４  床部
３０  腰壁
３２  床フレーム
３４  第１横架材（横架材）
３６  桁梁（梁材）
４０  ウエブ部
４２  上フランジ部
５４  上面
６０Ａ垂直端部
６０Ｂ水平端部
６８  差込部
７０  第２横架材（横架材）
７４  上面
７６  床板（面材）
８０  第１横架材
【図１】
2020114978.tif 000003
【図２】
2020114978.tif 000004
【図３】
2020114978.tif 000005
【図４】
2020114978.tif 000006
【図５】
2020114978.tif 000007
【図６】
2020114978.tif 000008
【図７】
2020114978.tif 000009
【図８】
2020114978.tif 000010